(57)【特許請求の範囲】
【請求項１】
複数台のパチンコ遊技機を横方向に列設し、パチンコ玉を揚送する玉揚送装置と、遊技島長手方向に対して直角な方向に隣接した他の遊技島とパチンコ玉の供給受給を行うバランス経路が接続された供給受給部及び遊技島長手方向に隣接した他の遊技島へパチンコ玉の供給を行う長手方向バランス経路と自島の遊技台へ補給する補給経路とが接続された貯留部とを設けた上部タンクと、を備えた遊技島であって、
貯留部は、
供給受給部方向にパチンコ玉を転動させる第１ガイドと、
第１ガイドの下部に供給受給部方向とは逆方向にパチンコ玉を転動させる第２ガイドとを備え、
玉揚送装置からのパチンコ玉は上部タンクに入ると、
第１ガイドの落下口から第２ガイドへ流下し、
第２ガイドに接続された長手方向バランス経路へ流入し、
長手方向バランス経路が塞がれると第１ガイドから供給受給部に流入し、
供給受給部に接続されたバランス経路と長手方向バランス経路へ流入し、
バランス経路と長手方向バランス経路が塞がれると貯留部内に流下貯留すると共に、補給経路へ流入させることを特徴とする遊技島。
【発明の詳細な説明】
【技術分野】
【０００１】
本発明は、複数台列設されたパチンコ遊技機を備えた遊技島に関するものである。
【背景技術】
【０００２】
パチンコ遊技店では、玉揚送装置を挟んだ両側に複数台のパチンコ遊技機を列設した遊技島が複数配置されている。
このようなパチンコ遊技店において、各遊技島間の玉貯留量を均等化させる装置が、例えば特許文献１に開示されている。これは、遊技島の長手方向に対して直角な方向に隣接して配設された遊技島間にバランス樋を架け渡して遊技島相互のパチンコ玉の移動を行い、また、遊技島の長手方向に隣接して配設された遊技島間にもバランス樋を架け渡して遊技島相互のパチンコ玉の移動を行うことによって、各遊技島間の玉貯留量を均等化させている。
【特許文献１】特開２００４−５７５２７号公報
【発明の開示】
【発明が解決しようとする課題】
【０００３】
上記したような従来の遊技島では、上部タンクがパチンコ遊技機に供給するためのパチンコ玉を貯留する領域（メイン貯留部）と、主に隣接する遊技島とパチンコ玉の供給受給を行う領域（サブ貯留部）とに区切られ、島の長手方向に隣接した遊技島にパチンコ玉を供給するための樋と、島の長手方向に対して直角な方向に隣接した遊技島にパチンコ玉を供給するための樋の何れもサブ貯留部側に設けられていた。このため、島の長手方向に隣接した遊技島同士はそれぞれの上部タンクのサブ貯留部側を向け合って配置し、島の長手方向に対して直角な方向に隣接した遊技島同士は夫々の上部タンクのサブ貯留部の位置を一直線状に並べて配置する必要があった。
【０００４】
例えば、複数の遊技島を列設して形成された第１〜第３の遊技島列が、図６に示すように並んで配置されたパチンコ遊技店内の各遊技島間でパチンコ玉の相互の移動を行う場合には、以下のような問題が生じる。
【０００５】
第１の遊技島列１００内では、各遊技島１１０Ａ〜１１０Ｄ間にバランス樋１５０を架け渡すために上部タンク１３０のサブ貯留部１３０ｂの位置を一直線状に並べて配置される。また、第１の遊技島列１００の遊技島１１０Ｄの上部タンクから第２の遊技島列２００の遊技島１１０Ｅにバランス樋１５０を架け渡すために、遊技島１１０Ｄの上部タンク１３０はサブ貯留部１３０ｂを遊技島１１０Ｅ側に向けて配置され、同じ第１の遊技島列１００内の遊技島１１０Ａ〜１１０Ｃもそれに合わせて遊技島１１０Ｄと上部タンク１３０の向きを揃えて配置される。
第３の遊技島列３００内でも同様に、各遊技島１１０Ｉ〜１１０Ｌ間にバランス樋１５０を架け渡すために上部タンク１３０のサブ貯留部１３０ｂの位置を一直線状に並べて配置される。また、第３の遊技島列３００の遊技島１１０Ｉから第２の遊技島列２００の遊技島１１０Ｈにバランス樋１５０を架け渡すために、遊技島１１０Ｉの上部タンク１３０はサブ貯留部１３０ｂを遊技島１１０Ｈ側に向けて配置され、同じ第３の遊技島列３００内の遊技島１１０Ｊ〜１１０Ｌもそれに合わせて遊技島１１０Ｉと上部タンク１３０の向きを揃えて配置される。
ここで、第２の遊技島列２００の遊技島１１０Ｅは、第１の遊技島列１００の遊技島１１０Ｄとバランス樋１５０を架け渡すために、遊技島１１０Ｅの上部タンク１３０はサブ貯留部１３０ｂを遊技島１１０Ｄ側に向けて配置する必要がある。
また、第２の遊技島列２００の遊技島１１０Ｈでは、第３の遊技島列３００の遊技島１１０Ｌとバランス樋１５０を架け渡すために、遊技島１１０Ｈの上部タンク１３０はサブ貯留部１３０ｂを遊技島１１０Ｌ側に向けて配置する必要がある。
そうすると、第２の遊技島列２００内では遊技島１１０Ｅと遊技島１１０Ｈとでは、上部タンク１３０の向きを揃えることができなくなり、パチンコ遊技店の美観が悪くなってしまう。
さらには、第２遊技島列２００内の各遊技島１１０Ｅ〜１１０Ｈ間にもバランス樋１５０を架け渡すために各上部タンク１３０のサブ貯留部１３０ｂの位置を一直線に並べて配置する必要があるが、そうすると、図のように遊技島１１０Ｅの両端を１１０Ｈ〜１１０Ｆと位置をずらして配置せざるを得なくなり、パチンコ遊技店の美観が悪くなってしまうばかりか、遊技島１１０Ｅと遊技島１１０Ｌの間の通路が狭くなってしまっていた。また、島の両端を揃えようとすると、玉揚送装置の左側に設置するパチンコ遊技機の台数と右側に設置される台数の配分が、他の遊技島と異なったものを製作しなくてはならず、作業が大変になる上に、コストアップにも繋がっていた。
【０００６】
本発明は、以上の点に鑑み、遊技店内に設置される遊技島間の玉の移動を行うことが可能で、遊技店内の美観を損なうことなく配置することが可能な遊技島を提供することを目的とする。
【課題を解決するための手段】
【０００７】
上記した目的を達成するために、本発明の請求項１は、複数台のパチンコ遊技機を横方向に列設し、パチンコ玉を揚送する玉揚送装置と、遊技島長手方向に対して直角な方向に隣接した他の遊技島とパチンコ玉の供給受給を行うバランス経路が接続された供給受給部及び遊技島長手方向に隣接した他の遊技島へパチンコ玉の供給を行う長手方向バランス経路と自島の遊技台へ補給する補給経路とが接続された貯留部とを設けた上部タンクと、を備えた遊技島であって、貯留部は、供給受給部方向にパチンコ玉を転動させる第１ガイドと、第１ガイドの下部に供給受給部方向とは逆方向にパチンコ玉を転動させる第２ガイドとを備え、玉揚送装置からのパチンコ玉は上部タンクに入ると、第１ガイドの落下口から第２ガイドへ流下し、第２ガイドに接続された長手方向バランス経路へ流入し、長手方向バランス経路が塞がれると第１ガイドから供給受給部に流入し、供給受給部に接続されたバランス経路と長手方向バランス経路へ流入し、バランス経路と長手方向バランス経路が塞がれると貯留部内に流下貯留すると共に、補給経路へ流入させる構成とした。
【発明の効果】
【０００８】
上記した構成によれば、島の長手方向に隣接した遊技島、および島の長手方向に対して直角な方向に隣接した遊技島との玉の移動が可能で、且つ遊技店内の美観を損なうことのない遊技島の配置をすることができる。
【発明を実施するための最良の形態】
【０００９】
図１は実施の形態における遊技島の側面図である。
遊技島１０は、複数のパチンコ遊技台３２を横方向に並べて１面とするとともに、同様の面を背中合わせにして構成されている。島端には計数機１２が設けられている。遊技島１０の中央部にはパチンコ玉を研磨しながら上部タンク８０へ揚送する玉揚送装置３９が設置され、パチンコ遊技台列の下部には玉揚送装置３９を挟んでパチンコ玉を貯留する下部貯留タンク３４、３５が設けられている。また、下部貯留タンクには複数の貯留量センサ７４、７５が設けられ、下部貯留タンク内に貯留されるパチンコ玉の量を検知する。
【００１０】
下部貯留タンク３４、３５の玉揚送装置側の一端には循環リフト３６、３７が設けられ、下部貯留タンク３４、３５の底部から当該タンク内のパチンコ玉を所定の高さに揚げ、回収樋３８、３８を通して玉揚送装置３９へ供給する。
上部タンク８０からは遊技島１０の長手方向に補給樋４４、４４が延びて、詳細は図示省略するが各パチンコ遊技台へパチンコ玉を補給する。また補給樋４４、４４とほぼ平行してオーバーフロー樋４２、４２が設けられ、上部タンク８０の容量を超えてあふれたパチンコ玉はオーバーフロー樋４２、４２を流れてその先端から下部貯留タンク３４、３５へ回収されるようになっている。
島の一端には、計数機１２が設置され、計数機１２に受け入れられたパチンコ玉は下部貯留タンクへ回収される。
【００１１】
図２は上部タンク８０の内部構造を示す斜視図である。上部タンク８０の内部は、玉揚送装置３９により揚送されたパチンコ玉を貯留する貯留部８０ａと、隣接する島とパチンコ玉の供給受給を行うための供給受給部８０ｂを備え、貯留部８０ａと供給受給部８０ｂとが仕切り壁８２によって仕切られている。貯留部８０ａ側には玉揚送装置３９により揚送された玉を上部タンク８０内へ受け渡す受渡し口８４と、島の長手方向に隣接した遊技島へパチンコ玉を供給するための第２傾斜樋４９（詳細後述）へパチンコ玉を送出する第２中バランス口９８を備える。供給受給部８０ｂ側には後述のバランス樋５０を介して隣島へパチンコ玉を供給するための供給口９４と、バランス樋５０を介して隣島からのパチンコ玉の供給を受ける受給口９６と、島の長手方向に隣接した遊技島へパチンコ玉を供給するための第１傾斜樋４７（詳細後述）へパチンコ玉を送出する第１中バランス口９７を備える。供給口９４にはバランスシャッター４３が、第１中バランス口９７には第１中バランスシャッター４６が、第２中バランス口９８には第２中バランスシャッター４８が設けられ、それぞれ必要に応じて開閉する。
【００１２】
上部タンク８０の貯留部８０ａの上部には、第１ガイド板８６が供給受給部側に向かって下り傾斜して設けられ、第１ガイド板８６の下方には第２ガイド板８８が供給受給部と逆側に向かって下り傾斜して設けられている。
受渡し口８４から入ったパチンコ玉は第１ガイド板８６の落下口８６ｂを通って第２ガイド板８８へ送られ、第２中バランス口９８へ向かって転動する。第２中バランス口９８の第２中バランスシャッター４８が閉じられているときは、第２ガイド板８８がパチンコ玉で満たされていき、落下口８６ｂがパチンコ玉によって塞がれ、受渡し口８４からのパチンコ玉は第１ガイド板上を転動して供給受給部８０ｂ側に送られ、第１中バランス口９７または供給口９４へ転動する。第１中バランス口９７の第１中バランスシャッター４６と供給口９４のバランスシャッター４３のいずれも閉じられているときは、第１ガイド板８６に形成した隙間８６ａから矢印のように、貯留部８０ａ内にパチンコ玉が落下貯留される。また、上部タンク８０の貯留部８０ａには、パチンコ遊技機にパチンコ玉を供給する補給樋４４へパチンコ玉を送出する補給口８５を備える。
【００１３】
供給受給部８０ｂ側に設けられた受給口９６の下方には、隙間９０ａを形成した中仕切板９０が貯留部８０ａ側に下り傾斜して設けられ、この中仕切板９０の先端部分で、上記仕切り壁８２との接合部分に貯留部８０ａに通ずる矩形状の導通口８２ａが形成されている。また、中仕切板９０の下方に下部ガイド板９２が設けられ、中仕切板９０の隙間９０ａから供給されるパチンコ玉は、下部ガイド板９２を介して上部タンク８０の下部に設けられたオーバーフロー樋４２へ送られ下部貯留タンク３４、３５へと供給される。
なお、上記第１ガイド板８６、中仕切板９０の各隙間８６ａ、９０ａおよび落下口８６ｂ、導通口８２ａは、それぞれパチンコ玉が通過できる充分な大きさに形成されている。
【００１４】
貯留部８０ａ内にはパチンコ玉の貯留量を検出するセンサが設けられている。上方位置に貯留量の上限を検知する上限センサ８１と、下方位置に貯留量の下限を検知する下限センサ８３とが設けられている。
また、上部タンク２０の貯留部８０ａ内にオーバーフローパイプ８９が設けられ、上限センサ８１を越えてパチンコ玉が貯留された場合に、このオーバーフローパイプ８９を介してオーバーフロー樋４２へパチンコ玉が転動され、下部貯留タンク３４、３５へと供給される。
【００１５】
上述した構成の複数の遊技島１０（１０Ａ〜１０Ｌ）が、図３に示すように配置され、遊技島１０Ａ〜１０Ｄが第１の遊技島列１、遊技島１０Ｅ〜１０Ｈが第２の遊技島列２、遊技島１０Ｉ〜１０Ｌが第３の遊技島列３を形成している。第１の遊技島列１と第２の遊技島列２との間隔、および第２の遊技島列２と第３の遊技島列３との間隔は、各遊技島列内における遊技島１０間の間隔よりも広く、いわゆる中通路３０となっている。
第１〜第３の各遊技島列内では、それぞれ隣接する遊技島１０間に、遊技島間でのパチンコ玉貯留量のバランスをとるバランス樋５０が設けられている。このバランス樋は水平な１本の樋で形成してもよいし、２本の傾斜した樋で形成してもよい。
遊技島１０Ｄと遊技島１０Ｅの間、および遊技島１０Ｈと遊技島１０Ｉの間には、遊技島列間でパチンコ玉を移動させるための中バランス樋６５が設けられている。
【００１６】
図４は遊技島１０Ｄ、１０Ｅ間における中バランス樋６５の設置状態を示す図である。
遊技島１０Ｄと遊技島１０Ｅの互に対向する端部には、中バランスユニット６０（６０Ｄ、６０Ｅ）が設置され、中通路を挟む両島の中バランスユニット６０Ｄ、６０Ｅ間に一本の中バランス樋６５が掛け渡されている。
中バランスユニット６０は、島端に設けた架台の上に対向するように設置され、両方の架台の上端に受口６２が設けられている。両方の受口６２Ｄ、６２Ｅと中バランス樋６５の端とが接続されていて、中バランス樋６５内を転動するパチンコ玉は受口６２Ｄを介してパイプ６１Ｄ内より、回収樋６８へと流下する。例えば、一方側の遊技島１０Ｅの貯留量が減少したとき、中バランスユニット６０Ｄが動作し排出されたパチンコ玉は中バランス樋６５内を転動していき受口６２Ｅからパイプ６１Ｅを通って回収樋６８へと流下する。なお、他方側の遊技島１０Ｄの貯留量が減少したときは逆の動作が行われる。
遊技島１０Ｈ、１０Ｉ間の中バランス樋の構成においても同様である。
【００１７】
図５は中バランスユニット６０の詳細を示す拡大図である。
架台の上には、受口６２から離間して上部タンク８０側に、玉送りリフト６３が受口６２側へ傾斜して立上がり、玉送りリフト６３の上端からは受口６２の上端へ向かって滑り台６４が傾斜して設けられて、玉送りリフト６３と滑り台６４とで三角山形状をなしている。滑り台６４は受口６２近傍でその傾斜を緩やかにして、中バランス樋６５に対して浅い角度で上下に重なるように設定されている。滑り台６４の下端は、中バランス樋６５を転動するパチンコ玉の流れを阻害しないように、中バランス樋６５の底壁より所定の高さｈとなっている。
【００１８】
遊技島１０Ｄ、１０Ｅ、１０Ｉにおいては、上部タンク８０の供給受給部８０ｂ側と玉送りリフト６３の下端との間には第１傾斜樋４７が設けられ、上部タンク８０の上部に設けられた第１バランスシャッター４６を開くことにより、上部タンク８０から玉送りリフト６３側へパチンコ玉が供給されるようになっている。（図１参照）
遊技島１０Ｈにおいては、上部タンク８０の貯留部８０ａ側と玉送りリフト６３の下端との間には第２傾斜樋４９が設けられ、上部タンク８０の上部に設けられた第２バランスシャッター４８を開くことにより、上部タンク８０から玉送りリフト６３側へパチンコ玉が供給されるようになっている。（図１参照）
【００１９】
図４、図５を参照して、遊技島１０Ｅにおいて上部タンク８０の上部に設けられた第１中バランスシャッター４６が開かれ、中バランスユニット６０Ｅで玉送りリフト６３が駆動されると、第１傾斜樋４７で中バランスユニット６０の下部へ供給されたパチンコ玉は、三角山形状の上端まで持ち上げられた後、滑り台６４を転がり落ちて中バランス樋６５へ供給される。滑り台６４の下端部は傾斜を緩やかにしてその向きを中バランス樋６５の長手方向へ近づくようにしてあるので、中バランス樋６５内を転動するパチンコ玉は速度が維持されたまま遊技島１０Ｄ側へといく。
【００２０】
遊技島１０Ｄにおいて、中バランスユニット６０Ｄの滑り台６４の下端は中バランス樋６５の底壁より所定の高さ位置となっているので、中バランス樋６５の端部に至ったパチンコ玉は阻害されることなく、対向する遊技島１０Ｄの中バランスユニット６０Ｄの受口６２Ｄに到達し、隙間からパイプ６１Ｄを通って回収樋６８に流れ落ちる。
【００２１】
遊技島１０は、それぞれ不図示の制御装置を備えるとともに、隣接する島の制御装置間は互に通信線（不図示）を介して接続している。各制御装置には、下部貯留タンク３４、３５内のパチンコ玉の量を検出する貯留量センサ７４、７５が接続されるとともに、制御対象として循環リフト３６、３７、上部タンク８０におけるバランス樋５０のバランスシャッター４３、第１傾斜樋４７の第１中バランスシャッター４６、第２傾斜樋４９の第２中バランスシャッター４８、中バランスユニット６０における玉送りリフト６３が接続されている。
【００２２】
通常は、玉揚送装置３９は常時駆動されており、個別のパチンコ遊技台３２に投入されたパチンコ玉は玉揚送装置３９へ戻されて、上部タンク８０−パチンコ台遊技３２−玉揚送装置３９の順に循環している。上部タンク８０をオーバーフローしたパチンコ玉は下部貯留タンク３４、３５に貯留される一方、不足してくると循環リフト３６、３７が駆動されて、下部貯留タンク３４、３５から玉揚送装置３９へパチンコ玉が補給される。
【００２３】
次に遊技島間のバランス制御について説明する。
各遊技島１０の制御装置はそれぞれの貯留量センサ７４、７５からの信号を監視している。例えば、遊技島１０Ｂの制御装置が、その貯留量センサ７４、７５からの信号によって、下部貯留タンク３４、３５の貯留量の合計が所定の下限値まで減少した状態になったことを検出すると、隣接の遊技島１０Ａおよび１０Ｃの制御装置と通信していずれか貯留量の多い側の遊技島へ玉補給要求の指令を出力する。
【００２４】
ここで、遊技島１０Ｃの貯留量が多かったときは、当該遊技島１０Ｃの制御装置は、遊技島１０Ｂの制御装置からの玉補給要求の指令を受けて、バランスシャッター４３を開いて上部タンク８０からバランス樋５０を通して遊技島１０Ｂへパチンコ玉を供給する。遊技島１０Ｃの制御装置は併せて循環リフト３６、３７を駆動し、下部貯留タンク３４、３５からパチンコ玉を玉揚送装置３９へ供給する。これにより、遊技島１０Ｃの下部貯留タンク３４、３５の底部に停滞していたパチンコ玉は外部へ取り出される。
【００２５】
遊技島１０Ｂでは、遊技島１０Ｃからの供給により、下部貯留タンク３４、３５へ導かれ、貯留量が増大していく。貯留量センサ７４、７５からの信号によって、貯留タンク３４、３５内の貯留量が所定の設定値に達したことが検出されると、遊技島１０Ｂの制御装置から玉供給停止の指令が出力される。遊技島１０Ｃの制御装置はこの玉供給停止の指令を受けて循環リフト３６、３７の駆動を停止させ、バランスシャッター４３を閉じる。これにより、遊技島１０Ｂ、遊技島１０Ｃ間のバランス供給が完了する。
【００２６】
また、中バランス樋６５が架け渡された遊技島１０Ｄの制御装置が、その貯留量センサ７４、７５からの信号によって、下部貯留タンク３４、３５の貯留量の合計が所定の下限値まで減少した状態になったことを検出すると、隣接の遊技島１０Ｃおよび１０Ｅの制御装置と通信していずれか貯留量の多い側の遊技島へ玉補給要求の指令を出力する。
【００２７】
ここで、遊技島１０Ｅの貯留量が多かったときは、当該遊技島１０Ｅの制御装置は、遊技島１０Ｄの制御装置からの玉補給要求の指令を受けて、第１中バランスシャッター４６を開くとともに、玉送りリフト６３を駆動して、第２の遊技島列２の遊技島１０Ｅから遊技島１０Ｄへパチンコ玉を流動させる。遊技島１０Ｅの制御装置は併せて循環リフト３６、３７を駆動し、下部貯留タンク３４、３５からパチンコ玉を玉揚送装置３９へ供給する。これにより、遊技島１０Ｅの下部貯留タンク３４、３５の底部に停滞していたパチンコ玉は外部へ取り出される。
【００２８】
遊技島１０Ｄでは、遊技島１０Ｅからの供給により、下部貯留タンク３４、３５へ導かれ、貯留量が増大していく。貯留量センサ７４、７５からの信号によって、貯留タンク３４、３５内の貯留量が所定の設定値に達したことが検出されると、遊技島１０Ｄの制御装置から玉供給停止の指令が出力される。遊技島１０Ｅの制御装置はこの玉供給停止の指令を受けて循環リフト３６、３７の駆動を停止させ、第１中バランスシャッター４６を閉じる。これにより、遊技島１０Ｄ、遊技島１０Ｅ間のバランス供給が完了する。
【００２９】
また、中バランス樋６５が架け渡された第３の遊技島列３の遊技島１０Ｉの制御装置が、その貯留量センサ７４、７５からの信号によって、下部貯留タンク３４、３５の貯留量の合計が所定の下限値まで減少した状態になったことを検出すると、隣接の遊技島１０Ｈおよび１０Ｊの制御装置と通信していずれか貯留量の多い側の遊技島へ玉補給要求の指令を出力する。
【００３０】
ここで、遊技島１０Ｈの貯留量が多かったときは、当該遊技島１０Ｈの制御装置は、遊技島１０Ｉの制御装置からの玉補給要求の指令を受けて、第２中バランスシャッター４８を開くとともに、玉送りリフト６３を駆動して、第２の遊技島列２の遊技島１０Ｈから遊技島１０Ｉへパチンコ玉を流動させる。遊技島１０Ｈの制御装置は併せて循環リフト３６、３７を駆動し、下部貯留タンク３４、３５からパチンコ玉を玉揚送装置３９へ供給する。これにより、遊技島１０Ｈの下部貯留タンク３４、３５の底部に停滞していたパチンコ玉は外部へ取り出される。
【００３１】
遊技島１０Ｉでは、遊技島１０Ｈからの供給により、下部貯留タンク３４、３５へ導かれ、貯留量が増大していく。貯留量センサ７４、７５からの信号によって、貯留タンク３４、３５内の貯留量が所定の設定値に達したことが検出されると、遊技島１０Ｉの制御装置から玉供給停止の指令が出力される。遊技島１０Ｈの制御装置はこの玉供給停止の指令を受けて循環リフト３６、３７の駆動を停止させ、第２中バランスシャッター４８を閉じる。これにより、遊技島１０Ｉ、遊技島１０Ｈ間のバランス供給が完了する。
【００３２】
一方、制御装置は下部貯留タンク３４、３５の貯留量の合計が所定の上限値まで増大した状態になったことを検出した場合には、隣接の遊技島の制御装置と通信していずれか貯留量の少ない側の遊技島へパチンコ玉を放出する制御を行う。
例えば遊技島１０Ｆの貯留量が上限値まで増大した場合に、隣接のうち遊技島１０Ｇの方が少なかったときは、遊技島１０Ｆの制御装置は、当該遊技島１０Ｆの循環リフト３６、３７を駆動するとともにバランスシャッター４３を開いて、上部タンク８０からバランス樋５０を通して遊技島１０Ｇへパチンコ玉を放出する。
【００３３】
遊技島１０Ｆでは、遊技島１０Ｇへの放出により下部貯留タンク３４、３５の貯留量が減少し、貯留量センサ７４、７５からの信号によって、貯留量が所定の設定値に達したことが検出されると、遊技島１０Ｆの制御装置はその循環リフト３６、３７の駆動を停止し、バランスシャッター４３を閉にする。
このようにして、貯留量が所定の下限値まで下がった遊技島は隣の島からパチンコ玉が補給されて貯留量が増え、貯留量が所定の上限値まで上った遊技島は隣の島へパチンコ玉を放出して貯留量が減少して、アンバランスが改善される。
【００３４】
なお、上述の例で、遊技島１０Ｃから遊技島１０Ｂへパチンコ玉を補給した結果、遊技島１０Ｃの貯留タンク３４、３５の貯留量の合計が所定の下限値より下がった状態になった場合には、今度は遊技島１０Ｃから隣接の遊技島１０Ｂと遊技島１０Ｄのうちいずれか貯留量の多い側の島へ玉供給要求の指令を出力する。
こうして、遊技島間のバランス補給が順次に遊技島列内を伝播していく。
また、放出を受けた島の貯留量が所定の上限値より上がった状態になった場合も、同様
に隣接の遊技島へ放出する処理が順次繰り返される。
以上の処理により、或る遊技島での貯留量が極端に減少したままの状態をなくしたほぼ均等化された状態が得られる。
【００３５】
本実施の形態では、バランス樋５０が発明におけるバランス経路を構成し、第２傾斜樋４９、中バランスユニット６０、中バランス樋６５が長手方向バランス経路を、第１ガイド板８６が第１ガイドを、第２ガイド板８８が第２ガイドを構成している。
【００３６】
実施の形態は以上のように構成され、遊技島１０Ｈが上部タンクの貯留部８０ａを遊技島１０Ｉ側に向けて配置して遊技島１０Ｉへパチンコ玉の供給を行うことができるので、各遊技島列内で上部タンクの向きを揃えて配置することが可能となり、遊技店内の美観を損なうことなく、第１〜第３のすべての遊技島間でのパチンコ玉の移動が可能となる。
【００３７】
また、玉揚送装置の左側に設置するパチンコ遊技機の台数と右側に設置される台数の配分が、遊技島１０Ａ〜１０Ｌで同じにすることができるので、遊技島を製作する作業時間の短縮になる上に、コストの削減にも繋がる。
【００３８】
さらに、遊技島１０Ｅ、１０Ｌ間にも遊技島１０Ｈ、１０Ｉ間と同様に本発明の長手方向バランス経路を適用させれば、より迅速に各遊技島間で貯留量を均等化させることができる。
また、上述した上部タンク８０の構成によれば、島の長手方向、および島の長手方向に対して直角方向の全４方向に隣接した遊技島へパチンコ玉を供給することもできる。
【００３９】
なお実施の形態では、島の長手方向に隣接した遊技島へのパチンコ玉の供給を、第１傾斜樋４７または第２傾斜樋４９、中バランスユニット６０、中バランス樋６５で行う構成としたが、第１傾斜樋４７または第２傾斜樋４９を直接隣接した遊技島へ接続させた構成とすることもできる。
【００４０】
また、実施の形態では受渡し口８４から上部タンク８０内部へ入ってきたパチンコ玉を第１ガイド板８６と第２ガイド板８８を用いて供給受給部８０ｂまたは第２中バランス口９８へ転動させる構成としたが、１枚のへの字型の板を受渡し口８４の下方に設けて供給受給部８０ｂまたは第２中バランス口９８へとパチンコ玉を振り分ける構成としてもよい。
【図面の簡単な説明】
【００４１】
【図１】実施の形態を示す遊技島の側面図である。
【図２】上部タンクの内部構成を示す図である。
【図３】遊技島の接続構成を示す図である。
【図４】中バランス樋の設置状態を示す図である。
【図５】中バランスユニットの詳細を示す拡大図である。
【図６】従来の遊技島の接続構成を示す図である。
【符号の説明】
【００４２】
１      第１の遊技島列
２      第２の遊技島列
３      第３の遊技島列
１０    遊技島
１２    計数機
３０    中通路
３２    パチンコ遊技台
３４、３５    下部貯留タンク
３６、３７    循環リフト
３８、６８    回収樋
３９      玉揚送装置
４２      オーバーフロー樋
４３      バランスシャッター
４４      補給樋
４６      第１中バランスシャッター
４８      第２中バランスシャッター
４７      第１傾斜樋
４９      第２傾斜樋
５０      バランス樋
６０      中バランスユニット
６１      パイプ
６２      受口
６３      玉送りリフト
６４      滑り台
６５      中バランス樋
７４、７５    貯留量センサ
８０      上部タンク
８０ａ    貯留部
８０ｂ    供給受給部
８１      上限センサ
８２      仕切り壁
８３      下限センサ
８４      受渡し口
８５      補給口
８６      第１ガイド板
８８      第２ガイド板
８９      オーバーフローパイプ
９０      中仕切り板
９２      下部ガイド板
９４      供給口
９６      受給口
９７      第１中バランス口
９８      第２中バランス口
【図１】
0005139634.tif 000002
【図２】
0005139634.tif 000003
【図３】
0005139634.tif 000004
【図４】
0005139634.tif 000005
【図５】
0005139634.tif 000006
【図６】
0005139634.tif 000007